(57)【要約】【課題】液体容器のキャップを取り外すことなく保持することができ、液体容器の取付け・取外し作業がきわめて容易であり、液体容器の取付け・取外し時に変形して壊れたりすることなく、また、小さな溝しかない液体容器も保持できるようにする。【解決手段】溝部３８の一部に係合する第１リブ１１ｄ１と、キャップの外周面に沿って湾曲した第１湾曲面１１ｇ１とを有し、首部３３の一部を把持する本体部１１と、溝部３８の他の一部に係合する第２リブ１２ｄと、キャップの外周面に沿って湾曲した第２湾曲面１２ｅとを有し、首部３３他の一部を把持する回動アーム１２とを備え、本体部１１は、固定部材に固定される固定部の一部又は全部を有し、回動アーム１２は、本体部１１に回動可能に結合され、本体部１１と回動アーム１２の結合部には、回動アーム１２が回動すると、回動アーム１２を元の位置に戻そうとするバネ１６ａが設けられている液体容器把持具１。【選択図】図１
2020200078.tif 000002
【特許請求の範囲】
【請求項１】
キャップが取り付けられて外周面に円環状の溝部が設けられた首部を有する液体容器を把持する液体容器把持具であって、
前記溝部の一部に係合する第１係合部と、前記キャップの外周面に沿って湾曲した第１湾曲面とを有し、前記首部の一部を把持する本体部と、
前記溝部の他の一部に係合する第２係合部と、前記キャップの外周面に沿って湾曲した第２湾曲面とを有し、前記首部の他の一部を把持する回動アームと
を備え、
前記本体部は、固定部材に固定される固定部の一部又は全部を有し、
前記本体部の先端部と前記回動アームの先端部は、前記キャップの外径より小さい隙間を形成し、
前記回動アームは、回動して前記隙間が大きくなるように前記本体部に回動可能に結合され、
前記本体部と前記回動アームの結合部には、前記回動アームが回動して前記隙間が大きくなるにつれて、前記回動アームを元の位置に戻そうとする付勢力が生ずる付勢部材が設けられていること
を特徴とする液体容器把持具。
【請求項２】
前記本体部及び／又は前記回動アームには、前記キャップを押えて前記液体容器の回転を防止するキャップ押え部が設けられていることを特徴とする請求項１記載の液体容器把持具。
【請求項３】
前記第１湾曲面と前記回動アームを複数備え、複数の前記液体容器を把持することを特徴とする請求項１又は請求項２記載の液体容器把持具。
【請求項４】
前記液体容器は、シャンプー、リンス、ボディーソープ等の洗髪料、洗顔料、洗浄料が入った液体容器であることを特徴とする請求項１乃至請求項３のいずれかに記載した液体容器把持具。
【発明の詳細な説明】
【技術分野】
【０００１】
本発明は、シャンプー、リンス、ボディーソープ等の洗髪料、洗顔料、洗浄料等が入った液体容器をポール等の特定の部材に保持して保管するための液体容器把持具に関するものである。
【背景技術】
【０００２】
シャンプー、リンス、ボディーソープ等の洗髪料、洗顔料、洗浄料等は、ボトル状の液体容器に入れられて浴室で使用されるが、このシャンプー等が入った液体容器は、壁面等に取り付けられた受け皿（ケース）や棚に置かれて保管されることが多い。
この場合、シャンプー等が入った液体容器を受け皿や棚に保管すると、日数が経つにつれて液体容器の底に湯垢や洗浄剤のぬめり等が付着して、液体容器、受け皿や棚が汚れてくるという問題がある。
このような問題点を解決するために、例えば、特許文献１には、細首部におねじを備え、液状洗髪剤を収容する容器本体と、この細首部のおねじに螺合する該容器本体内の液状流体を排出するノズルを備えたキャップとからなる容器に於て、一方の端部が前記容器本体おねじ座部と前記キャップめねじ座部の間に挟まれて固定され、反対側の端部が引掛け手段としてのＯ状環を設けた可撓性シート材料から構成される洗剤入り容器の吊下げ具が開示されている。
しかしながら、特許文献１の洗剤入り容器の吊下げ具は、一方の端部に設けられた挿入穴を容器本体の首部に挿入しキャップをねじ込むことにより容器本体に固定されることから、キャップを外さないと容器本体に固定できず、容器本体への取付け、取外しに手間がかかり面倒であるばかりか、キャップを外した際に容器本体から中身（洗剤）がこぼれるという問題がある。
【０００３】
この点、特許文献２には、首部に係止部が形成された容器連を持ち運び自在とする保持体であって、各容器の係止部に係合し、且つ前記首部に嵌脱自在に外嵌される保持部を複数個備えると共に、該保持部を連結する連結部を備えてなる複数容器の保持体が開示されている。
また、特許文献３には、裏面同士が相互に接触するように重ね合わせた状態で、回転可能に連結された、同一形状を有する一対のホルダープレートを備え、前記ホルダープレートは、回転方向に等角度で、回転中心から径方向外側に張り出す複数のアームを有し、それぞれの前記アームは、その先端側に、同一回転方向に対する一方側の側縁が開放された、容器の首部に嵌合する円弧形状の嵌合凹部が形成された容器保持部を有している容器ホルダーが開示されている。
さらに、特許文献４には、基部及び該基部と一体成形により形成される複数のアーム部とからなるボトル缶の保持具であり、アーム部はその内径がボトル缶のネック部外周より小径の円弧状を成すと共に、ボトル缶のネック部の挿入が容易になるよう、端部が外側方向に反り返った開口部を有しており、該アーム部がボトル缶のネック部を挟み込んだ際に、内側方向に働くアーム部の付勢力と共に、アーム部上端とボトル缶のキャップ下端との係合により、ボトル缶を保持するボトル缶の保持具が開示されている。
【０００４】
しかしながら、特許文献２〜４の保持体等は、いずれも複数の容器を連結して持ち運ぶためのものであり、容器を特定の部材に保持して保管するものではない。
また、特許文献２の保持体においては、容器への外嵌時に、ドーナツ状の保持部の切欠部近傍を弾性変形させて開口幅を広げることで、保持部を容器の首部への装着することから、保持部を容器の首部への取付け、取外しに力を要して作業が面倒であるばかりか、保持部を容器の首部へ取り付けたり取り外したりする際に、保持部が変形しすぎて壊れる場合があるという問題がある。
特許文献３の容器ホルダーにおいては、一方のホルダープレートを回転させて、容器保持部の嵌合凹部をボトルの首部に嵌合させて、ボトルの首部に取り付けることから、容器ホルダーのボトルの首部への取付け、取外し作業が面倒で手間がかかるのみならず、２枚のホルダープレートの容器保持部を上下に重ねてボトルの首部に嵌合させることから、ボトルの首部に、２枚のホルダープレートの容器保持部を嵌合させる大きさ（高さ）の溝が必要となり、キャップを取り付けたときに生ずる小さな溝しかなく、鍔部等のない容器の首部には取り付けることができないという問題がある。
さらに、特許文献４の保持具においては、アーム部の開口部を広げてボトル缶のネック部に取り付けることから、特許文献２の保持体と同様の問題があるのみならず、アーム部に厚み（高さ）があることから、特許文献３の容器ホルダーと同様の問題が生ずる。
【先行技術文献】
【特許文献】
【０００５】
【特許文献１】実開平６−４４７３６号公報
【特許文献２】実開平５−２２３５６号公報
【特許文献３】実用新案登録第３１７７７９３号公報
【特許文献４】実用新案登録第３１９２６９２号公報
【発明の概要】
【発明が解決しようとする課題】
【０００６】
本発明が解決しようとする課題は、キャップが取り付けられて外周面に円環状の溝部が設けられた首部を有するシャンプー等が入った液体容器を特定の部材に保持して保管するに際し、液体容器のキャップを取り外すことなく保持することができ、液体容器の取付け・取外し作業がきわめて容易であり、液体容器の取付け・取外し時に変形して壊れたりすることなく、また、鍔部等がなく、キャップを取り付けたときに生ずる小さな溝しかない液体容器も保持できるようにすることである。
【課題を解決するための手段】
【０００７】
請求項１の発明は、キャップが取り付けられて外周面に円環状の溝部が設けられた首部を有する液体容器を把持する液体容器把持具であって、前記溝部の一部に係合する第１係合部と、前記キャップの外周面に沿って湾曲した第１湾曲面とを有し、前記首部の一部を把持する本体部と、前記溝部の他の一部に係合する第２係合部と、前記キャップの外周面に沿って湾曲した第２湾曲面とを有し、前記首部の他の一部を把持する回動アームとを備え、前記本体部は、固定部材に固定される固定部の一部又は全部を有し、前記本体部の先端部と前記回動アームの先端部は、前記キャップの外径より小さい隙間を形成し、前記回動アームは、回動して前記隙間が大きくなるように前記本体部に回動可能に結合され、前記本体部と前記回動アームの結合部には、前記回動アームが回動して前記隙間が大きくなるにつれて、前記回動アームを元の位置に戻そうとする付勢力が生ずる付勢部材が設けられている液体容器把持具。液体容器把持具を提供して、上記課題を解決するものである。
【０００８】
請求項２の発明は、前記本体部及び／又は前記回動アームには、前記キャップを押えて前記液体容器の回転を防止するキャップ押え部が設けられている液体容器把持具を提供して、上記課題を解決するものである。
【０００９】
請求項３の発明は、前記第１湾曲面と前記回動アームを複数備え、複数の前記液体容器を把持する液体容器把持具を提供して、上記課題を解決するものである。
【００１０】
請求項４の発明は、前記液体容器は、シャンプー、リンス、ボディーソープ等の洗髪料、洗顔料、洗浄料が入った液体容器である液体容器把持具を提供して、上記課題を解決するものである。
【発明の効果】
【００１１】
請求項１に記載の発明の液体容器把持具においては、キャップが取り付けられて外周面に円環状の溝部が設けられた首部を有する液体容器を特定の部材に保持して保管するに際し、液体容器のキャップを取り外すことなく保持することができ、液体容器の取付け・取外し作業がきわめて容易であり、液体容器の取付け・取外し時に変形して壊れたりすることなく、また、鍔部等かなく、キャップを取り付けたときに生ずる小さな溝しかない液体容器も保持できるという効果を奏する。
【００１２】
請求項２に記載の発明の液体容器把持具においては、さらに、液体容器の回転を防止できるという効果を奏する。
【００１３】
請求項３に記載の発明の液体容器把持具は、請求項１又は請求項２の発明と同様の効果を奏する。
【００１４】
請求項４に記載の発明の液体容器把持具は、請求項１又は請求項２の発明と同様の効果を奏する。
【図面の簡単な説明】
【００１５】
【図１】本発明の実施形態である液体容器保持具を第１挾持部材と第２挾持部材に分離した状態の斜視図である。
【図２】図２は、図１に示す第１挾持部材の分解斜視図である。
【図３】図１に示す第１挾持部材の平面図である。
【図４】図１に示す第１挾持部材の背面図及び左側面図である。
【図５】図３のＡ−Ａ拡大断面図及びＢ−Ｂ拡大断面図である。
【図６】図１に示す第２挾持部材の分解斜視図である。
【図７】図１に示す第２挾持部材の平面図及び正面図である。
【図８】図７のＣ−Ｃ断面図及びＤ−Ｄ断面図である。
【図９】シャンプー容器及びリンス容器の斜視図である。
【図１０】図９に示すシャンプー容器の上部正面図である。
【図１１】液体容器保持具１でシャンプー容器３０とリンス容器４０を保持してポールに固定した状態の斜視図である。
【図１２】第１挾持部材１０と第２挾持部材２０のポールを挟持している部分の横断面図である。
【図１３】図１１のＥ−Ｅ断面図である。
【図１４】本発明のキャップ押え部が設けられた本体部１１の斜視図である。
【図１５】図１４の本体部１１の平面図である。
【発明を実施するための形態】
【００１６】
［液体容器把持具の構成］
図１は、本発明の実施形態である液体容器把持具を第１挾持部材と第２挾持部材に分離した状態の斜視図、図２は、図１に示す第１挾持部材の分解斜視図、図３は、図１に示す第１挾持部材の平面図、図４（ａ）は、図１に示す第１挾持部材の背面図、図４（ｂ）は、図１に示す第１挾持部材の左側面図、図５（ａ）は、図３のＡ−Ａ拡大断面図、図５（ｂ）は、図３のＢ−Ｂ拡大断面図、図６は、図１に示す第２挾持部材の分解斜視図、図７（ａ）は、図１に示す第２挾持部材の平面図、図７（ｂ）は、図１に示す第２挾持部材の正面図、図８（ａ）は、図７のＣ−Ｃ断面図、図８（ｂ）は、図７のＤ−Ｄ断面図である。
図中、１は液体容器把持具、１０は第１挾持部材、１１は本体部、１１ａは基部、１１ｂ１、１１ｂ２は湾曲部、１１ｃ１、１１ｃ２は孔部、１１ｄ１、１１ｄ２は第１リブ、１１ｅ１、１１ｅ２は凸部、１１ｆ１、１１ｆ２は段部、１１ｇ１、１１ｇ２は第１湾曲面、１２、１３は回動アーム、１２ａ、１３ａは基部、１２ｂ、１３ｂは湾曲アーム部、１２ｃ、１３ｃは孔部、１２ｄ、１３ｄは第２リブ、１２ｅ、１３ｅは第２湾曲面、１４は低弾性率部材、１５ａ、１５ｂはボルト、１６ａ、１６ｂはバネ、１７ａ、１７ｂはナット、２０は第２挾持部材、２１は本体部、２１ａは半円筒部、２１ｂ１、２１ｂ２は直線部、２１ｃ１、２１ｃ２は突出部、２１ｄ１、２１ｄ２は凹部、２２は低弾性率部材、ｇａ１、ｇａ２は隙間である。
図１に示すように、液体容器把持具１は、第１挾持部材１０と第２挾持部材２０から構成される。
【００１７】
まず、第１挾持部材１０について説明する。
図２に示すように、第１挾持部材１０は、本体部１１、回動アーム１２、１３、低弾性率部材１４、ボルト１５ａ、１５ｂ、バネ１６ａ、１６ｂ及びナット１７ａ、１７ｂから構成される。
本体部１１は、ポリエリレン、ポリプロピレン等のプラスチックを成形したもので、左右対称の構造であり、中央にある基部１１ａ、左右に突出する湾曲部１１ｂ１、１１ｂ２、及び、基部１１ａと湾曲部１１ｂ１、１１ｂ２の間に設けられた段部１１ｆ１、１１ｆ２等より構成され、本発明の本体部となる。
基部１１ａは、背面側に設けられた円筒面と、左右に突出する凸部１１ｅ１、１１ｅ２を有し、凸部１１ｅ１、１１ｅ２は、第２挾持部材２０の凹部２１ｄ１、２１ｄ２と嵌合する。
湾曲部１１ｂ１、１１ｂ２は、回動アーム１２、１３と対向する第１湾曲面１１ｇ１、１１ｇ２を有し、下端には第１湾曲面１１ｇ１、１１ｇ２に沿って回動アーム１２、１３側に突出する第１リブ１１ｄ１、１１ｄ２が設けられ（図３参照）、第１リブ１１ｄ１、１１ｄ２は、本発明の第１係合部となる。
第１湾曲面１１ｇ１、１１ｇ２は、液体容器把持具１が把持する液体容器のキャップ（後述する）の外周面に沿って湾曲した半円筒面である。
段部１１ｆ１、１１ｆ２は、基部１１ａと湾曲部１１ｂ１、１１ｂ２の間の本体部１１の上半分を半円筒状にくり抜いて形成されたもので、外側に突出する略半円筒面を有し、中央部にはボルト１５ａ、１５ｂが挿通する孔部１１ｃ１、１１ｃ２が設けられている。
回動アーム１２、１３は、本体部１１と同様に、ポリエリレン、ポリプロピレン等のプラスチックを成形したものであり、基部１２ａ、１３ａと湾曲アーム部１２ｂ、１３ｂを備えている。
基部１２ａ、１３ａは、高さが本体部１１の略半分の円筒形状を有し、中央部にはボルト１５ａ、１５ｂが挿通する孔部１２ｃ、１３ｃが設けられている。
湾曲アーム部１２ｂ、１３ｂは、本体部１１の第１湾曲面１１ｇ１、１１ｇ２と対向する第２湾曲面１２ｅ、１３ｅを有し、下端には第２湾曲面１２ｅ、１３ｅに沿っては第１湾曲面１１ｇ１、１１ｇ２側に突出する第２リブ１２ｄ、１３ｄが設けられ（図３参照）、第２リブ１２ｄ、１３ｄは、本発明の第２係合部となる。
第２湾曲面１２ｅ、１３ｅは、液体容器把持具１が把持する液体容器のキャップ（後述する）の外周面に沿って湾曲した半円筒面である。
低弾性率部材１４は、略半円筒状の内面と外面を備えた略半円筒環形状を有し、エラストマーまたはゴムからなり、その縦弾性係数は、１〜１００ＭＰａ、好ましくは１〜１０ＭＰａである。
ボルト１５ａ、１５ｂは、ポリエリレン、ポリプロピレン等のプラスチック製であり、その先端部は雄ネジ部となっている。
バネ１６ａ、１６ｂは、本発明の付勢部材となるもので、硬鋼線やステンレス鋼線等からなり、一側が開いた円環部と円環部の両端部から広がるように伸びる直線部を備えている。
ナット１７ａ、１７ｂは、ポリエリレン、ポリプロピレン等のプラスチック製であり、ボルト１５ａ、１５ｂの雄ネジ部に螺合する雌ネジ部を有している。
【００１８】
第１挾持部材１０においては、本体部１１の段部１１ｆ１、１１ｆ２に、バネ１６ａ、１６ｂの円環部を挟んで回動アーム１２、１３の基部１２ａ、１３ａが重ねられ、回動アーム１２、１３の孔部１２ｃ、１３ｃ、バネ１６ａ、１６ｂの円環部、及び、本体部１１のる孔部１１ｃ１、１１ｃ２にボルト１５ａ、１５ｂが挿通され、ボルト１５ａ、１５ｂの雄ネジ部にナット１７ａ、１７ｂが螺合され、これにより、本体部１１に回動アーム１２、１３が回動可能に取り付けられる。
そして、本体部１１の先端部となる湾曲部１１ｂ１、１１ｂ２の先端部と、回動アーム１２、１３の先端部となる湾曲アーム部１２ｂ、１３ｂの先端部は、液体容器のキャップ（後述する）の外径より小さい隙間ｇａ１、ｇａ２を形成する（図３参照）。
このとき、バネ１６ａ、１６ｂの一方の直線部が回動アーム１２、１３の湾曲アーム部１２ｂ、１３ｂの内側に係合され、バネ１６ａ、１６ｂの他方の直線部が本体部１１の湾曲部１１ｂ１、１１ｂ２の内側に係合され、湾曲アーム部１２ｂ、１３ｂが湾曲部１１ｂ１、１１ｂ２から離れる方向に回動アーム１２、１３が回動（回転）し、隙間ｇａ１、ｇａ２が大きくなるにつれて、バネ１６ａ、１６ｂに回動アーム１２、１３を元の位置に戻そうとする付勢力が生ずる。
また、本体部１１の基部１１ａの背面側にある円筒面に、低弾性率部材１４の略半円筒状の外面が嵌め込みあるいは接着等により固定され、これにより、本体部１１に低弾性率部材１４が取り付けられる。
【００１９】
次に、第２挾持部材２０について説明する。
図２に示すように、第２挾持部材２０は、本体部２１と低弾性率部材２２から構成される。
本体部２１は、ポリエリレン、ポリプロピレン等のプラスチックを成形したもので、図６〜図８に示すように、左右対称の構造であり、半円筒部２１ａと直線部２１ｂ１、２１ｂ２からな横断面Ｕ字形状の湾曲板である。
半円筒部２１ａと直線部２１ｂ１、２１ｂ２の境界部分には、上端部に半円形状の突出部２１ｃ１、２１ｃ２が設けられ、直線部２１ｂ１、２１ｂ２の内面側に凹部２１ｄ１、２１ｄ２が設けられている。
凹部２１ｄ１、２１ｄ２は、直線部２１ｂ１、２１ｂ２の上面から下部まで形成された溝であり、第１挾持部材１０の凸部１１ｅ１、１１ｅ２が嵌合する。
低弾性率部材２２は、第１挾持部材１０の低弾性率部材１４と同様に、略半円筒状の内面と外面を備えた略半円筒環形状を有し、エラストマーまたはゴムからなり、その縦弾性係数は、１〜１００ＭＰａ、好ましくは１〜１０ＭＰａである。
また、半円筒部２１ａの内面側にある円筒面に、低弾性率部材２２の略半円筒状の外面が嵌め込みあるいは接着等により固定され、これにより、本体部２１に低弾性率部材２２が取り付けられる。
【００２０】
そして、第１挾持部材１０の本体部１１の基部１１ａ（低弾性率部材１４が取り付けられた基部１１ａ）と第２挾持部材２０により、固定部材となるポール等が前後から挟み込まれ、基部１１ａの凸部１１ｅ１、１１ｅ２が、第２挾持部材２０の凹部２１ｄ１、２１ｄ２に嵌合され、これにより液体容器把持具１がポール等の固定部材に固定されることから、第１挾持部材１０の本体部１１の基部１１ａと第２挾持部材２０が本発明の固定部となり、第１挾持部材１０の本体部１１の基部１１ａは、本発明の固定部の一部となる。
また、本発明における固定部は、凸部１１ｅ１、１１ｅ２を凹部２１ｄ１、２１ｄ２を嵌合するような嵌合構造に限定されるものではなく、回動機構やヒンジ等を利用した固定部であってもよい。
すなわち、本発明の固定部を、例えば、凸部１１ｅ１、１１ｅ２と凹部２１ｄ１、２１ｄ２に代えて、第１挾持部材１０の基部１１ａと第２挾持部材２０を回動アーム１２、１３のような回動機構で結合して、基部１１ａと第２挾持部材２０で固定部材を挟み込み、ネジ機構等により締め付けて固定部材に固定するような固定部にしてもよい。
なお、本実施形態においては、液体容器把持具１の本体部１１は、本発明の固定部の一部であるが、例えば、本体部１１と基部１１ａと第２挾持部材２０を一体的な構造として、本発明の液体容器把持具の本体部が固定部の全部を有するようにしてもよい。
【００２１】
［液体容器把持具の使用方法］
次に、液体容器把持具１の使用方法について説明する。
図９（ａ）は、液体容器把持具１が保持（把持）する液体容器の例であるシャンプーが入ったシャンプー容器の斜視図、同図（ｂ）は、リンスが入ったリンス容器の斜視図、図１０は、図９（ａ）のシャンプー容器の上部正面図である。
図中、３０はシャンプー容器、４０はリンス容器、３１、４１は胴部、３２、４２は口部、３３、４３は首部、３４、４４はガイド部、３５、４５はシャフト部、３６、４６は頭部、３７、４７はノズル、３８、４８は溝部である。
シャンプー容器３０は、胴部３１、口部３２、首部３３、ガイド部３４、シャフト部３５、頭部３６、ノズル３７等からなり、胴部３１と首部３３の間に円環状の溝部３８が形成されている。
口部３２にはキャップが取り付けられ、首部３３とガイド部３４を形成している（首部３３とガイド部３４がキャップとなる。）。
このシャンプー容器３０は、シャフト部３５に連結されたポンプ（図示せず）を備えており、シャフト部３５と頭部３６を上下させることにより、ノズル３７からシャンプーが吐出するようになっている。
リンス容器４０は、シャンプー容器３０と同じ構造であり、胴部４１、口部４２、首部４３、ガイド部４４、シャフト部４５、頭部４６、ノズル４７等からなり、胴部４１と首部４３の間に円環状の溝部４８が形成されている。
口部４２にはキャップが取り付けられ、首部４３とガイド部４４を形成している（首部４３とガイド部４４がキャップとなる。）。
このリンス容器４０もシャンプー容器３０と同様に、シャフト部４５に連結されたポンプ（図示せず）を備えており、シャフト部４５と頭部４６を上下させることにより、ノズル４７からリンスが吐出するようになっている。
【００２２】
図１１は、液体容器把持具１でシャンプー容器３０とリンス容器４０を保持（把持）して固定部材であるポールに固定した状態の斜視図、図１２は、第１挾持部材１０と第２挾持部材２０のポールを挟持している部分の横断面図、図１３は図１１のＥ−Ｅ断面図であり、図中５０はポールである。
以下、液体容器把持具１でシャンプー容器３０とリンス容器４０を保持（把持）してポール５０に固定する方法について説明する。
まず、第１挾持部材１０と第２挾持部材２０とでポール５０を前後から挟み込み、第１挾持部材１０の凸部１１ｅ１、１１ｅ２を、第２挾持部材２０の凹部２１ｄ１、２１ｄ２に嵌合させ、  液体容器把持具１をポール５０に固定する。
図１２に示すように、液体容器把持具１のポール５０への固定部分においては、第１挾持部材１０の低弾性率部材１４の内周面と、第２挾持部材２０の低弾性率部材２２の内周面がポール５０の外周面に密着する。
このとき、低弾性率部材１４の内周面と低弾性率部材２２の内周面で形成される円周面（ポールを挟持しない状態で形成される円周面）の内径は、ポール５０の外径より少し小さくなっており、ポール５０と挟んだ状態で凸部１１ｅ１、１１ｅ２を凹部２１ｄ１、２１ｄ２に嵌合させると、低弾性率部材１４と低弾性率部材２２が圧縮され、低弾性率部材１４、２２の内周面がポール５０の外周面に強く押し付けられ、液体容器把持具１がポール５０に強固に固定される。
【００２３】
次いで、第１挾持部材１０の回動アーム１２を回動させ、湾曲部１１ｂ１と湾曲アーム部１２ｂの先端部の隙間ｇａ１を広げてシャンプー容器３０の首部３３を把持する。
このとき、湾曲部１１ｂ１と湾曲アーム部１２ｂの内側にはバネ１６ａが係合されているため、回動アーム１２を回動させるとバネ１６ａに回動アーム１２を元の位置に戻そうとする付勢力が生ずる。
これにより、図１３に示すように、湾曲部１１ｂ１の下端に設けられた第１リブ１１ｄ１がシャンプー容器３０の溝部３８の一部に係合し、本体部１１（湾曲部１１ｂ１）がシャンプー容器３０の首部３３の一部を把持する。
また、湾曲アーム部１２ｂの下端に設けられた第２リブ１２ｄが、シャンプー容器３０の溝部３８の他の一部に係合し、回動アーム１２（湾曲アーム部１２ｂ）がシャンプー容器３０の首部３３の他の一部を把持する。
次いで、第１挾持部材１０の回動アーム１３を回動させ、湾曲部１１ｂ２と湾曲アーム部１３ｂの先端部の隙間ｇａ２を広げてリンス容器４０の首部４３を把持する。
このとき、回動アーム１２と同様に、回動アーム１３を回動させると湾曲部１１ｂ２と湾曲アーム部１３ｂの内側にバネ１６ｂに回動アーム１３を元の位置に戻そうとする付勢力が生じ、湾曲部１１ｂ２の下端に設けられた第１リブ１１ｄ２がリンス容器４０の溝部４８の一部に係合し、本体部１１（湾曲部１１ｂ２）がリンス容器４０の首部４３の一部を把持し、湾曲アーム部１３ｂの下端に設けられた第２リブ１３ｄが、リンス容器４０の溝部４８の他の一部に係合し、回動アーム１３（湾曲アーム部１３ｂ）がリンス容器４０の首部４３の他の一部を把持する。
【００２４】
このように、液体容器把持具１においては、第１挾持部材１０の回動アーム１２、１３を回動させ、湾曲部１１ｂ１、１１ｂ２と湾曲アーム部１２ｂ、１３の先端部の隙間ｇａ１、ｇａ２を広げてシャンプー容器３０、リンス容器４０の首部３３、４３を把持することから、シャンプー容器３０やリンス容器４０のキャップを取り外すことなく保持（把持）することができ、液体容器把持具１へのシャンプー容器３０やリンス容器４０の取付け・取外し作業がきわめて容易であり、シャンプー容器３０やリンス容器の取付け・取外し時に、液体容器把持具１が変形したり壊れたりすることなく、また、シャンプー容器３０やリンス容器４０のように、鍔部等かなく、キャップを取り付けたときに生ずる小さな溝しかない液体容器も保持できる。
【００２５】
［キャップ押え部］
図１４は、本発明のキャップ押え部が設けられた本体部１１の斜視図、図１５は、図１４の本体部１１の平面図であり、図中、ｔｋ１〜ｔｋ４は突起である。
図１４、図１５に示すように、本体部１１の湾曲部１１ｂ１、１１ｂ２の第１湾曲面１１ｇ１、１１ｇ２の先端側には、上端から下端にかけて縦方向に連続する三角柱形状の突起ｔｋ１、ｔｋ２が設けられている。
また、回動アーム１２、１３の湾曲アーム部１２ｂ、１３ｂの第２湾曲面１２ｅ、１３ｅの先端側には、上端から下端にかけて縦方向に連続する三角柱形状の突起ｔｋ３、ｔｋ４が設けられている。
突起ｔｋ１〜ｔｋ４は、本発明のキャップ押え部となり、液体容器把持具１が液体容器を把持したときに、液体容器の回転を防止する。
すなわち、回動アーム１２を回動させ、湾曲部１１ｂ１の第１リブ１１ｄ１と湾曲アーム部１２ｂの第２リブ１２ｄをシャンプー容器３０の溝部３８に係合させ、シャンプー容器３０の首部３３を把持すると、突起ｔｋ１、ｔｋ２がシャンプー容器３０のキャップ（首部３３）の周面を押さえ、シャンプー容器３０の回転が防止される。
同様に、回動アーム１３を回動させ、湾曲部１１ｂ２の第１リブ１１ｄ２と湾曲アーム部１３ｂの第２リブ１３ｄをリンス容器４０の溝部４８に係合させ、リンス容器４０の首部４３を把持すると、突起ｔｋ３、ｔｋ４がリンス容器４０のキャップ（首部４３）の周面を押さえ、リンス容器４０の回転が防止される。
この場合、シャンプー容器３０やリンス容器４０のキャップ（首部３３、４３）周面に、縦方向の溝が細かいピッチで設けられている場合、突起ｔｋ１〜ｔｋ４の先端がキャップの溝に入り込んで、シャンプー容器３０やリンス容器４０の回転が効果的に防止される。
【産業上の利用可能性】
【００２６】
本発明の物品把持具は、キャップが取り付けられて外周面に円環状の溝部が設けられた首部を有す液体容器を特定の部材に保持して保管するに際し、液体容器のキャップを取り外すことなく保持することができ、液体容器の取付け・取外し作業がきわめて容易であり、液体容器の取付け・取外し時に変形して壊れたりすることなく、また、鍔部等かなく、キャップを取り付けたときに生ずる小さな溝しかない容器も保持でき、シャンプー、リンス、ボディーソープ等の洗髪料、洗顔料、洗浄料等が入った液体容器の保持に利用することができる。
【符号の説明】
【００２７】
１  液体容器保持具
１０  第１挾持部材
１１  本体部
１１ａ  基部
１１ｂ１、１１ｂ２  湾曲部
１１ｃ１、１１ｃ２  孔部
１１ｄ１、１１ｄ２  第１リブ
１１ｅ１、１１ｅ２  凸部
１１ｆ１、１１ｆ２  段部
１１ｇ１、１１ｇ２  第１湾曲面
１２、１３  回動アーム
１２ａ、１３ａ  基部
１２ｂ、１３ｂ  湾曲アーム部
１２ｃ、１３ｃ  孔部
１２ｄ、１３ｄ  第２リブ
１２ｅ、１３ｅ  第２湾曲面
１４  低弾性率部材
１５ａ、１５ｂ  ボルト
１６ａ、１６ｂ  バネ
１７ａ、１７ｂ  ナット
２０  第２挾持部材
２１  本体部
２１ａ  半円筒部
２１ｂ１、２１ｂ２  直線部
２１ｃ１、２１ｃ２  突出部
２１ｄ１、２１ｄ２  凹部
２２  低弾性率部材
３０  シャンプー容器
４０  リンス容器
３１、４１  胴部
３２、４２  口部
３３、４３  首部
３４、４４  ガイド部
３５、４５  シャフト部
３６、４６  頭部
３７、４７  ノズル
３８、４８  溝部
５０、５１  ポール
ｇａ１、ｇａ２  隙間
ｔｋ１〜ｔｋ４  突起
【図１】
2020200078.tif 000003
【図２】
2020200078.tif 000004
【図３】
2020200078.tif 000005
【図４】
2020200078.tif 000006
【図５】
2020200078.tif 000007
【図６】
2020200078.tif 000008
【図７】
2020200078.tif 000009
【図８】
2020200078.tif 000010
【図９】
2020200078.tif 000011
【図１０】
2020200078.tif 000012
【図１１】
2020200078.tif 000013
【図１２】
2020200078.tif 000014
【図１３】
2020200078.tif 000015
【図１４】
2020200078.tif 000016
【図１５】
2020200078.tif 000017